(57)【要約】      （修正有）【課題】操作者が処理モードの選択操作を行うことなく入金された貨幣を補充処理または両替処理で用いることができ、よって操作者にとっての利便性を向上させることができる貨幣処理装置および貨幣処理方法を提供する。【解決手段】貨幣処理装置（例えば、硬貨釣銭機１００や紙幣釣銭機２００）は、待機状態における貨幣の処理モードとして補充モードおよび両替モードのうちいずれかのモードを設定する設定手段と、設定手段により設定された処理モードの内容に基づいて搬送部（例えば、入金搬送部１０３、出金搬送部１０８、周回搬送部２０３ａ、接続搬送部２０３ｂ）を制御する制御部（例えば、硬貨釣銭機制御部１３０や紙幣釣銭機制御部２３０）とを備えている。【選択図】図３
2017045185.tif 000002
【特許請求の範囲】
【請求項１】
貨幣を入金するための入金部と、
貨幣を出金するための出金部と、
貨幣を収納する収納部と、
前記入金部、前記出金部および前記収納部の間で貨幣を搬送する搬送部と、
待機状態における貨幣の処理モードとして補充モードおよび両替モードのうちいずれかのモードを設定する設定手段と、
前記設定手段により設定された処理モードの内容に基づいて前記搬送部を制御する制御部と、
を備えた、貨幣処理装置。
【請求項２】
前記設定手段は、前記収納部における貨幣の収納状態が所定の状態となったときに、待機状態における貨幣の処理モードとして補充モードを自動で設定する、請求項１記載の貨幣処理装置。
【請求項３】
前記入金部には、当該入金部への貨幣投入用の開口が形成された蓋、および前記蓋の開閉を検知するための蓋開閉検知部がそれぞれ設けられており、
前記設定手段は、前記蓋開閉検知部により前記蓋が閉まっていると検知されたときに、待機状態における貨幣の処理モードとして両替モードを自動で設定し、一方、前記蓋開閉検知部により前記蓋が開いていると検知されたときに、待機状態における貨幣の処理モードとして補充モードを自動で設定する、請求項１記載の貨幣処理装置。
【請求項４】
前記設定手段により設定された、待機状態における貨幣の処理モードの内容を報知する報知部を更に備えた、請求項１乃至３のいずれか一項に記載の貨幣処理装置。
【請求項５】
待機状態における貨幣の処理モードとして両替モードが前記設定手段により設定された場合において、所定の条件が満たされると待機状態における貨幣の処理モードとしての両替モードが自動で終了する、請求項１乃至４のいずれか一項に記載の貨幣処理装置。
【請求項６】
前記所定の条件は、前記貨幣処理装置から貨幣が出金された後において次の貨幣の入金処理開始の指令が前記制御部に与えられたことである、請求項５記載の貨幣処理装置。
【請求項７】
前記所定の条件は、前記貨幣処理装置から貨幣が出金された後において前記貨幣処理装置とは別に設けられた外部装置から前記貨幣処理装置に次の取引の開始の指令に係る信号が送信されたことである、請求項５記載の貨幣処理装置。
【請求項８】
前記所定の条件は、前記貨幣処理装置から貨幣が出金されてから予め設定された所定の時間が経過したことである、請求項５記載の貨幣処理装置。
【請求項９】
前記所定の条件は、前記貨幣処理装置から貨幣が出金された後においてログオフの指令が前記制御部に与えられたことである、請求項５記載の貨幣処理装置。
【請求項１０】
操作者が前記制御部に指令を入力するための操作部を更に備え、
前記所定の条件は、前記貨幣処理装置から貨幣が出金された後において前記操作部により所定の操作が行われたことである、請求項５記載の貨幣処理装置。
【請求項１１】
前記制御部は、前記設定手段により設定された処理モードが補充モードである場合には、前記入金部により入金された貨幣を前記搬送部により前記収納部に搬送させ、一方、前記設定手段により設定された処理モードが両替モードである場合には、前記入金部により入金された貨幣を前記搬送部により前記収納部に搬送させるとともに入金された貨幣と異なる金種かつ同一の合計金額の貨幣を前記収納部から前記出金部に搬送させるよう前記搬送部を制御する、請求項１乃至１０のいずれか一項に記載の貨幣処理装置。
【請求項１２】
硬貨の処理を行う硬貨処理ユニットおよび紙幣の処理を行う紙幣処理ユニットを備え、
待機状態における貨幣の処理モードとして補充モードが前記設定手段により設定された場合には前記硬貨処理ユニットおよび前記紙幣処理ユニットの各々において硬貨および紙幣の補充処理が互いに独立して行われ、
待機状態における貨幣の処理モードとして両替モードが前記設定手段により設定された場合には前記硬貨処理ユニットおよび前記紙幣処理ユニットのうち一方の処理ユニットに入金された貨幣と異なる金種かつ同一の合計金額の貨幣を他方の処理ユニットから出金させることができる、請求項１乃至１１のいずれか一項に記載の貨幣処理装置。
【請求項１３】
貨幣を入金するための入金部と、貨幣を出金するための出金部と、貨幣を収納する収納部と、前記入金部、前記出金部および前記収納部の間で貨幣を搬送する搬送部とを備えた貨幣処理装置による貨幣処理方法であって、
待機状態における貨幣の処理モードとして補充モードおよび両替モードのうちいずれかのモードを設定する工程と、
設定された処理モードの内容に基づいて前記搬送部により貨幣を搬送させる工程と、
を備えた、貨幣処理方法。
【発明の詳細な説明】
【技術分野】
【０００１】
本発明は、貨幣の入金処理や出金処理等の様々な処理を行う貨幣処理装置およびこのような貨幣処理装置による貨幣処理方法に関する。
【背景技術】
【０００２】
スーパーマーケットやコンビニエンスストア等の店舗においてＰＯＳレジスタ等の上位端末に接続されて釣銭としての貨幣を自動的に払い出す貨幣釣銭機として様々なタイプのものが従来から知られている。例えば、特許文献１に開示される貨幣釣銭機は、補充モードを起動させる指令がＰＯＳレジスタ等の上位端末から送信されることにより貨幣の処理モードが補充モードに自動的に切り替わり、所定の待機時間内に入金された貨幣を補充貨幣として当該貨幣の金種に対応する収納部に搬送するようになっている。
【先行技術文献】
【特許文献】
【０００３】
【特許文献１】特開２００７−２４９４０４号公報
【発明の概要】
【発明が解決しようとする課題】
【０００４】
しかしながら、特許文献１に開示される貨幣釣銭機では、当該貨幣釣銭機に貨幣を補充する際にこの貨幣釣銭機における貨幣の処理モードを補充モードに切り替える操作をＰＯＳレジスタ等の上位端末により行わなければならないため、操作者にとって手間がかかるという問題があった。また、このような貨幣釣銭機において貨幣の両替を行う場合にも、操作者は、当該貨幣釣銭機における貨幣の処理モードを両替モードに切り替える操作をＰＯＳレジスタ等の上位端末により行わなければならないため、操作者にとって手間がかかってしまう。
【０００５】
本発明は、このような点を考慮してなされたものであり、操作者が処理モードの選択操作を行うことなく入金された貨幣を補充処理または両替処理で用いることができ、よって操作者にとっての利便性を向上させることができる貨幣処理装置および貨幣処理方法を提供することを目的とする。
【課題を解決するための手段】
【０００６】
本発明の貨幣処理装置は、貨幣を入金するための入金部と、貨幣を出金するための出金部と、貨幣を収納する収納部と、前記入金部、前記出金部および前記収納部の間で貨幣を搬送する搬送部と、待機状態における貨幣の処理モードとして補充モードおよび両替モードのうちいずれかのモードを設定する設定手段と、前記設定手段により設定された処理モードの内容に基づいて前記搬送部を制御する制御部と、を備えたことを特徴とする。
【０００７】
このような貨幣処理装置によれば、待機状態における貨幣の処理モードとして補充モードおよび両替モードのうちいずれかのモードを設定し、設定された処理モードの内容に基づいて搬送部により貨幣を搬送させることができるため、操作者が処理モードの選択操作を行うことなく入金された貨幣を補充処理または両替処理で用いることができ、よって操作者にとっての利便性を向上させることができる。
【０００８】
本発明の貨幣処理装置においては、前記設定手段は、前記収納部における貨幣の収納状態が所定の状態となったときに、待機状態における貨幣の処理モードとして補充モードを自動で設定するようになっていてもよい。
【０００９】
本発明の貨幣処理装置においては、前記入金部には、当該入金部への貨幣投入用の開口が形成された蓋、および前記蓋の開閉を検知するための蓋開閉検知部がそれぞれ設けられており、前記設定手段は、前記蓋開閉検知部により前記蓋が閉まっていると検知されたときに、待機状態における貨幣の処理モードとして両替モードを自動で設定し、一方、前記蓋開閉検知部により前記蓋が開いていると検知されたときに、待機状態における貨幣の処理モードとして補充モードを自動で設定するようになっていてもよい。
【００１０】
本発明の貨幣処理装置は、前記設定手段により設定された、待機状態における貨幣の処理モードの内容を報知する報知部を更に備えていてもよい。
【００１１】
本発明の貨幣処理装置においては、待機状態における貨幣の処理モードとして両替モードが前記設定手段により設定された場合において、所定の条件が満たされると待機状態における貨幣の処理モードとしての両替モードが自動で終了するようになっていてもよい。
【００１２】
この場合、前記所定の条件は、前記貨幣処理装置から貨幣が出金された後において次の貨幣の入金処理開始の指令が前記制御部に与えられたことであってもよい。
【００１３】
また、前記所定の条件は、前記貨幣処理装置から貨幣が出金された後において前記貨幣処理装置とは別に設けられた外部装置から前記貨幣処理装置に次の取引の開始の指令に係る信号が送信されたことであってもよい。
【００１４】
また、前記所定の条件は、前記貨幣処理装置から貨幣が出金されてから予め設定された所定の時間が経過したことであってもよい。
【００１５】
また、前記所定の条件は、前記貨幣処理装置から貨幣が出金された後においてログオフの指令が前記制御部に与えられたことであってもよい。
【００１６】
また、本発明の貨幣処理装置は、操作者が前記制御部に指令を入力するための操作部を更に備え、前記所定の条件は、前記貨幣処理装置から貨幣が出金された後において前記操作部により所定の操作が行われたことであってもよい。
【００１７】
本発明の貨幣処理装置においては、前記制御部は、前記設定手段により設定された処理モードが補充モードである場合には、前記入金部により入金された貨幣を前記搬送部により前記収納部に搬送させ、一方、前記設定手段により設定された処理モードが両替モードである場合には、前記入金部により入金された貨幣を前記搬送部により前記収納部に搬送させるとともに入金された貨幣と異なる金種かつ同一の合計金額の貨幣を前記収納部から前記出金部に搬送させるよう前記搬送部を制御するようになっていてもよい。
【００１８】
本発明の貨幣処理装置は、硬貨の処理を行う硬貨処理ユニットおよび紙幣の処理を行う紙幣処理ユニットを備え、待機状態における貨幣の処理モードとして補充モードが前記設定手段により設定された場合には前記硬貨処理ユニットおよび前記紙幣処理ユニットの各々において硬貨および紙幣の補充処理が互いに独立して行われ、待機状態における貨幣の処理モードとして両替モードが前記設定手段により設定された場合には前記硬貨処理ユニットおよび前記紙幣処理ユニットのうち一方の処理ユニットに入金された貨幣と異なる金種かつ同一の合計金額の貨幣を他方の処理ユニットから出金させることができるようになっていてもよい。
【００１９】
本発明の貨幣処理方法は、貨幣を入金するための入金部と、貨幣を出金するための出金部と、貨幣を収納する収納部と、前記入金部、前記出金部および前記収納部の間で貨幣を搬送する搬送部とを備えた貨幣処理装置による貨幣処理方法であって、待機状態における貨幣の処理モードとして補充モードおよび両替モードのうちいずれかのモードを設定する工程と、設定された処理モードの内容に基づいて前記搬送部により貨幣を搬送させる工程と、を備えたことを特徴とする。
【００２０】
このような貨幣処理方法によれば、待機状態における貨幣の処理モードとして補充モードおよび両替モードのうちいずれかのモードを設定し、設定された処理モードの内容に基づいて搬送部により貨幣を搬送させることができるため、操作者が処理モードの選択操作を行うことなく入金された貨幣を補充処理または両替処理で用いることができ、よって操作者にとっての利便性を向上させることができる。
【発明の効果】
【００２１】
本発明の貨幣処理装置および貨幣処理方法によれば、操作者が処理モードの選択操作を行うことなく入金された貨幣を補充処理または両替処理で用いることができ、よって操作者にとっての利便性を向上させることができる。
【図面の簡単な説明】
【００２２】
【図１】本発明の実施の形態によるレジユニットが設置された店舗の構成の概略を示す概略構成図である。
【図２】図１に示す店舗のフロント領域の精算所に設置されたレジユニットにおける貨幣釣銭機（貨幣処理装置）およびＰＯＳレジスタの構成を示す斜視図である。
【図３】図２に示すレジユニットの構成の概略を示す概略構成図である。
【図４】図２に示すレジユニットの硬貨釣銭機における硬貨受入部の構成の詳細を示す斜視図である。
【図５】図２に示すレジユニットの制御系の構成を示す機能ブロック図である。
【図６】図２に示すレジユニットの貨幣釣銭機において待機状態における貨幣の処理モードとして両替モードが設定手段により設定されている場合の動作を示すフローチャートである。
【発明を実施するための形態】
【００２３】
以下、図面を参照して本発明の実施の形態について説明する。図１乃至図６は、本実施の形態による貨幣釣銭機（貨幣処理装置）およびこのような貨幣釣銭機を備えたレジユニットを示す図である。このうち、図１は、本実施の形態によるレジユニットが設置された店舗の構成の概略を示す概略構成図であり、図２は、図１に示す店舗のフロント領域の精算所に設置されたレジユニットにおける貨幣釣銭機（貨幣処理装置）およびＰＯＳレジスタの構成を示す斜視図であり、図３は、図２に示すレジユニットの構成の概略を示す概略構成図である。また、図４は、図２に示すレジユニットの硬貨釣銭機における硬貨受入部の構成の詳細を示す斜視図である。また、図５は、図２に示すレジユニットの制御系の構成を示す機能ブロック図であり、図６は、図２に示すレジユニットの貨幣釣銭機において待機状態における貨幣の処理モードとして両替モードが設定手段により設定されている場合の動作を示すフローチャートである。
【００２４】
図１に示すように、スーパーマーケットやコンビニエンスストア等の店舗１０において、顧客が立ち入ることができるフロント領域１２には様々な商品が陳列された商品棚１４が設置されているとともに、このフロント領域１２の精算所１６にはレジユニット１８が設置されている。後述するように、レジユニット１８は、硬貨釣銭機１００、紙幣釣銭機２００およびＰＯＳレジスタ３００等から構成されている（図２等参照）。顧客がこのような精算所１６で精算処理を行う際に、店員は、顧客から受け取った商品の代金としての貨幣をレジユニット１８の硬貨釣銭機１００や紙幣釣銭機２００に入金したり、釣銭としての貨幣を硬貨釣銭機１００や紙幣釣銭機２００から出金して顧客に返却したりするようになっている。また、このような店舗１０における顧客の立ち入りが禁止されたバックヤード領域２０には、硬貨釣銭機１００や紙幣釣銭機２００から回収された売上金としての貨幣が入金される売上入金機２２が設置されている。売上入金機２２に入金された売上金としての貨幣は、警送会社の収集担当者により回収されて当該警送会社の管理センターに運搬されるようになっている。
【００２５】
フロント領域１２の精算所１６に設置されたレジユニット１８の構成の詳細について図２乃至図５を用いて説明する。なお、前述したように、図２は、レジユニット１８における硬貨釣銭機１００、紙幣釣銭機２００およびＰＯＳレジスタ３００の構成を示す斜視図であり、図３は、図２に示すレジユニット１８の内部構成の概略を示す概略構成図であり、図４は、図２に示すレジユニット１８の硬貨釣銭機１００における硬貨受入部１１４の構成の詳細を示す斜視図である。また、図５は、図２に示すレジユニット１８の制御系の構成を示す機能ブロック図である。
【００２６】
図２等に示すように、レジユニット１８は、硬貨釣銭機１００と、紙幣釣銭機２００と、ＰＯＳレジスタ３００とを備えており、硬貨釣銭機１００および紙幣釣銭機２００は、それぞれ硬貨や紙幣の入出金処理を行うようになっている。また、図２に示すように、硬貨釣銭機１００および紙幣釣銭機２００は左右方向に並べて配置される。そして、ＰＯＳレジスタ３００は、硬貨釣銭機１００および紙幣釣銭機２００の上方に配置される。以下、硬貨釣銭機１００および紙幣釣銭機２００をまとめて貨幣釣銭機ともいう。なお、本実施の形態では、硬貨釣銭機１００および紙幣釣銭機２００を組み合わせた貨幣釣銭機により、本発明に係る貨幣処理装置が構成されている。また、本実施の形態のレジユニット１８において、ＰＯＳレジスタ３００は、貨幣釣銭機（具体的には、硬貨釣銭機１００および紙幣釣銭機２００）の管理を行う管理装置として機能するようになる。
【００２７】
また、図３および図５に示すように、ＰＯＳレジスタ３００は店舗サーバ５００に通信可能に接続されている。そして、ＰＯＳレジスタ３００から店舗サーバ５００に売上金情報等が送信されるようになっている。また、各種設定情報が、店舗サーバ５００からＰＯＳレジスタ３００（複数台でも可）に配信されるようになっている。
【００２８】
図３および図５に示すように、硬貨釣銭機１００は、上位制御部１２０および硬貨釣銭機制御部１３０を有しており、これらの上位制御部１２０および硬貨釣銭機制御部１３０は互いに接続されている。また、紙幣釣銭機２００は、紙幣釣銭機制御部２３０を有しており、この紙幣釣銭機制御部２３０は硬貨釣銭機１００の上位制御部１２０に通信可能に接続されている。また、ＰＯＳレジスタ３００もＰＯＳ制御部３３０を有しており、硬貨釣銭機１００の上位制御部１２０はＰＯＳレジスタ３００のＰＯＳ制御部３３０に通信可能に接続されている。なお、図３および図５に示す例では、上位制御部１２０が硬貨釣銭機１００に設けられている態様が示されているが、このような例に限定されることはない。本実施の形態による貨幣釣銭機の他の例として、硬貨釣銭機ではなく紙幣釣銭機に上位制御部が設けられていてもよく、あるいは硬貨釣銭機および紙幣釣銭機の両方に上位制御部がそれぞれ設けられていてもよい。
【００２９】
以下、硬貨釣銭機１００、紙幣釣銭機２００およびＰＯＳレジスタ３００の各々の構成について図２乃至図４を用いて詳述する。
【００３０】
まず、硬貨釣銭機１００の構成について具体的に説明する。図２および図３に示すように、硬貨釣銭機１００は、前部上面にタッチパネル等の操作表示部１１２が設けられた筐体１１０を備えている。筐体１１０の前部には硬貨受入部１１４および硬貨払出部１１６がそれぞれ設けられている。
【００３１】
図３に示すように、この硬貨受入部１１４には、当該硬貨受入部１１４により機体内に取り込まれた硬貨を搬送する入金搬送部１０３が接続されている。ここで、図４に示すように、硬貨受入部１１４は、複数の硬貨を受け入れる受入ホッパ１１４ａと、受入ホッパ１１４ａに受け入れられた硬貨を１枚ずつ当該受入ホッパ１１４ａから繰り出す繰出部としての搬送ベルト１１４ｂと、受入ホッパ１１４ａの上部開口の開閉を行う蓋１１４ｃとを有しており、搬送ベルト１１４ｂにより受入ホッパ１１４ａから繰り出された硬貨が入金搬送部１０３に送られるようになっている。また、蓋１１４ｃには、受入ホッパ１１４ａへの硬貨投入用の開口１１４ｆ（具体的には、スリット）が形成されている。ここで、開口１１４ｆは横に細長い略長方形形状となっており、このような開口１１４ｆの高さは、硬貨受入部１１４に投入されるべき硬貨の厚さよりもわずかに大きくなっている。このことにより、受入ホッパ１１４ａの上部開口が蓋１１４ｃにより閉じられているときには、操作者は開口１１４ｆを介して硬貨を１枚ずつ硬貨受入部１１４に投入することができるようになる。一方、蓋１１４ｃが開かれて受入ホッパ１１４ａの上部開口が外部環境に露出されると、操作者は受入ホッパ１１４ａに大量の硬貨を一度に投入することができるようになる。
【００３２】
また、蓋１１４ｃの側端部には被検知板１１４ｅが設けられているとともに、この被検知板１１４ｅの検知を行うフォトインタラプタ等の検知センサ１１４ｄ（蓋開閉検知部）が設けられており、このような検知センサ１１４ｄにより蓋１１４ｃの開閉が検知されるようになっている。具体的には、図４における実線で示すように蓋１１４ｃが閉まっているときには、蓋１１４ｃに設けられた被検知板１１４ｅが検知センサ１１４ｄにより検知されるようになる。一方、図４における二点鎖線で示すように蓋１１４ｃが開かれると、蓋１１４ｃに設けられた被検知板１１４ｅが検知センサ１１４ｄにより検知されなくなる。
【００３３】
図３に示すように、入金搬送部１０３の途中箇所には、硬貨の金種、真偽、正損、新旧、搬送状態等の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を入金搬送部１０３から出金搬送部１０８に分岐させるようになっている。
【００３４】
一方、正常硬貨等の機体内に収納されるべき硬貨は入金搬送部１０３により各硬貨収納部１０６へ搬送されるようになっている。各硬貨収納部１０６は硬貨を金種別に収納するようになっている。具体的には、例えば入金搬送部１０３の上流側から高額順に硬貨が収納される。
【００３５】
出金搬送部１０８は、各硬貨収納部１０６から繰り出された硬貨を硬貨払出部１１６へ搬送するようになっている。また、出金搬送部１０８は、分岐部１０４により入金搬送部１０３から分岐させられたリジェクト硬貨等も硬貨払出部１１６へ搬送するようになっている。
【００３６】
次に、紙幣釣銭機２００の構成について具体的に説明する。図２および図３に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４および紙幣回収カセット２０７が、周回搬送部２０３ａを外側から取り囲むように配置されている。
【００３７】
また、紙幣釣銭機２００の筐体２１０の内部には、紙幣受入部２１４、各紙幣収納部２０６、紙幣払出部２１６、出金リジェクト部２０４および紙幣回収カセット２０７の各々と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の金種、真偽、正損、新旧、搬送状態等の識別を行うようになっている。
【００３８】
また、周回搬送部２０３ａと各接続搬送部２０３ｂとの間で紙幣の搬送経路を切り換える経路切換部（図示せず）が、周回搬送部２０３ａに沿って配置されている。
【００３９】
図２および図３に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に設置されている。
【００４０】
紙幣受入部２１４は、投入された紙幣を検知すると駆動され、紙幣受入口２１４ａに挿入された入金紙幣を一括で取り込んで、周回搬送部２０３ａ側へ１枚ずつ繰り出すようになっている。各紙幣収納部２０６は、紙幣識別部２０１の識別結果に基づいて紙幣を金種別に収納する。紙幣払出部２１６は、各紙幣収納部２０６から周回搬送部２０３ａに繰り出された紙幣を紙幣取出口２１６ａより筐体２１０の外部へ放出するようになっている。
【００４１】
出金リジェクト部２０４は、紙幣の出金処理が行われる際に紙幣収納部２０６から繰り出された紙幣のうち、斜行等の搬送異常により紙幣識別部２０１で正常に識別することができない紙幣を出金リジェクト紙幣として収納する。また、紙幣受入部２１４から機体内に取り込まれた紙幣のうち、汚損等により紙幣識別部２０１で正常に識別することができない紙幣は入金リジェクト紙幣として紙幣払出部２１６に返却されるようになっている。
【００４２】
紙幣回収カセット２０７は筐体２１０の前面から引き出すことにより当該筐体２１０の外部に取り出すことができるようになっている。
【００４３】
次に、ＰＯＳレジスタ３００の構成について具体的に説明する。ＰＯＳレジスタ３００は、商品の購入情報を登録するとともに、硬貨釣銭機１００や紙幣釣銭機２００に対して硬貨や紙幣の入出金処理を行わせるようになっている。
【００４４】
ＰＯＳレジスタ３００のＰＯＳ制御部３３０は、図３に示すように、硬貨釣銭機１００の上位制御部１２０に通信可能に接続されているとともに、店舗サーバ５００にも通信可能に接続されている。そして、このＰＯＳ制御部３３０は、硬貨釣銭機１００の上位制御部１２０を介して当該硬貨釣銭機１００の硬貨釣銭機制御部１３０や紙幣釣銭機２００の紙幣釣銭機制御部２３０に指令を送ることにより硬貨釣銭機１００や紙幣釣銭機２００に対して硬貨や紙幣の入出金処理を行わせるようになっている。また、ＰＯＳ制御部３３０は、硬貨釣銭機１００の硬貨釣銭機制御部１３０や紙幣釣銭機２００の紙幣釣銭機制御部２３０から、上位制御部１２０を介して、硬貨釣銭機１００や紙幣釣銭機２００における硬貨や紙幣の処理状況に係る情報を受け取るようになっている。
【００４５】
操作部３０４は、店員が操作することができるようになっており、ＰＯＳ制御部３３０に対して様々な指令を与えることができるようになっている。また、表示部３０２は、硬貨釣銭機１００や紙幣釣銭機２００における硬貨や紙幣の処理状況や、硬貨釣銭機１００や紙幣釣銭機２００の在高を表示するようになっている。また、ＰＯＳレジスタ３００には顧客向けの追加の表示部３０２ａが設けられており、様々な情報を表示部３０２に表示させる代わりに、あるいは表示部３０２における表示に加えて、追加の表示部３０２ａにおいて顧客向けの表示が行われるようになっている。また、ＰＯＳレジスタ３００にはカードリーダライタ３３６および印字部３３８が設けられている（図５参照、図２および図３では図示せず）。カードリーダライタ３３６は、店員のＩＤカードを読み取ることにより店員のＩＤや権限等に関する情報を取得するようになっている。また、印字部３３８は例えばプリンタから構成され、取引内容を印字したり（通常の取引レシート）、硬貨釣銭機１００や紙幣釣銭機２００の在高等の様々な情報を印字したりするようになっている。
【００４６】
また、図２等に示すように、ＰＯＳレジスタ３００には、商品棚１４に陳列される商品に付されたバーコードの情報を読み取るバーコードスキャナ３５０が設けられている。
【００４７】
図５は、上述のような構成からなるレジユニット１８の制御系の構成を示す制御ブロック図である。図５に示すように、硬貨釣銭機１００の上位制御部１２０には、硬貨釣銭機１００のインターフェース１３２、操作表示部１１２および記憶部１３４がそれぞれ接続されている。この上位制御部１２０は、インターフェース１３２により、紙幣釣銭機２００の紙幣釣銭機制御部２３０およびＰＯＳレジスタ３００のＰＯＳ制御部３３０に対して信号の送受信を行うようになっている。また、店員により操作表示部１１２に入力された指令が当該操作表示部１１２から上位制御部１２０に送られるとともに、上位制御部１２０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の在高が表示されるようになっている。また、記憶部１３４には、硬貨釣銭機１００や紙幣釣銭機２００における硬貨や紙幣の処理履歴や、硬貨釣銭機１００や紙幣釣銭機２００の在高等の様々な情報が記憶されるようになっている。
【００４８】
また、硬貨釣銭機１００の上位制御部１２０には、当該硬貨釣銭機１００を含む貨幣釣銭機の待機状態における貨幣の処理モードとして補充モードおよび両替モードのうちいずれかのモードを設定する設定手段１４０が接続されている。このような設定手段１４０の機能の詳細については後述する。
【００４９】
硬貨釣銭機１００の硬貨釣銭機制御部１３０には、硬貨受入部１１４、入金搬送部１０３、硬貨識別部１０１、分岐部１０４、硬貨収納部１０６、出金搬送部１０８、硬貨払出部１１６等がそれぞれ接続されており、硬貨識別部１０１から硬貨釣銭機制御部１３０に硬貨の識別結果が送られるとともに、硬貨釣銭機制御部１３０から硬貨受入部１１４、入金搬送部１０３、分岐部１０４、硬貨収納部１０６、出金搬送部１０８、硬貨払出部１１６等の各々に対して様々な指令が送られるようになっている。
【００５０】
紙幣釣銭機２００の紙幣釣銭機制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６等がそれぞれ接続されており、紙幣識別部２０１から紙幣釣銭機制御部２３０に紙幣の識別結果が送られるとともに、紙幣釣銭機制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっている。また、紙幣釣銭機２００の紙幣釣銭機制御部２３０は、インターフェース２３２により、硬貨釣銭機１００の上位制御部１２０に対して信号の送受信を行うようになっている。
【００５１】
また、ＰＯＳレジスタ３００のＰＯＳ制御部３３０には、表示部３０２、操作部３０４、記憶部３３４、インターフェース３３２、カードリーダライタ３３６、印字部３３８等がそれぞれ接続されており、店員によって操作部３０４により入力された指令が当該操作部３０４からＰＯＳ制御部３３０に送られたり、カードリーダライタ３３６により読み取られた店員のＩＤカードに係る情報がＰＯＳ制御部３３０に送られたりするようになっている。また、ＰＯＳ制御部３３０は表示部３０２に指令を送ることにより当該表示部３０２に様々な情報を表示させるようになっている。また、ＰＯＳ制御部３３０は、表示部３０２に様々な情報を表示させる代わりに、あるいは表示部３０２における表示に加えて、追加の表示部３０２ａにおいて顧客向けの表示を行わせるようになっている。また、ＰＯＳ制御部３３０は印字部３３８に指令を送ることにより当該印字部３３８により様々な情報を印字させるようになっている。また、ＰＯＳレジスタ３００のＰＯＳ制御部３３０は、インターフェース３３２により、硬貨釣銭機１００の上位制御部１２０や店舗サーバ５００に対して信号の送受信を行うようになっている。また、記憶部３３４には、硬貨釣銭機１００や紙幣釣銭機２００から送信された、硬貨釣銭機１００や紙幣釣銭機２００における硬貨や紙幣の処理状況や、硬貨釣銭機１００や紙幣釣銭機２００の在高等の様々な情報が記憶されるようになっている。
【００５２】
次に、このような構成からなるレジユニット１８の動作、具体的には硬貨釣銭機１００や紙幣釣銭機２００において硬貨や紙幣の入金処理や出金処理を行う際の動作について以下に説明する。
【００５３】
まず、硬貨釣銭機１００において硬貨の入金処理を行う場合の動作について以下に説明する。硬貨釣銭機１００の硬貨受入部１１４に硬貨が受け入れられると、硬貨受入部１１４は、受け入れた硬貨を１層１列状態で１枚ずつ機体内に取り込み、取り込まれた硬貨は入金搬送部１０３により搬送される。そして、入金搬送部１０３により搬送される硬貨は硬貨識別部１０１により硬貨の識別が行われる。硬貨識別部１０１による硬貨の識別結果に基づいて、リジェクト硬貨等の、硬貨払出部１１６から払い出されるべき硬貨であると識別された硬貨は、分岐部１０４により入金搬送部１０３から出金搬送部１０８に分岐させられ、当該出金搬送部１０８により硬貨払出部１１６に搬送される。一方、硬貨識別部１０１による硬貨の識別結果に基づいて、正常硬貨等の機体内に収納されるべき硬貨であると識別された硬貨は、入金搬送部１０３により硬貨収納部１０６へ搬送され、当該硬貨収納部１０６に金種別に収納される。
【００５４】
次に、硬貨釣銭機１００において硬貨の出金処理を行う場合の動作について以下に説明する。硬貨釣銭機１００から釣銭としての硬貨を出金する場合には、操作者は操作表示部１１２により出金されるべき硬貨の金種別の枚数や合計金額等を入力する。あるいは、ＰＯＳレジスタ３００のＰＯＳ制御部３３０から出金指令が上位制御部１２０を介して硬貨釣銭機制御部１３０に送られることにより、硬貨釣銭機１００から釣銭としての硬貨が出金されるようになる。硬貨釣銭機制御部１３０に対して出金指令が与えられると、硬貨収納部１０６に収納されている硬貨が当該硬貨収納部１０６から繰り出され、繰り出された硬貨は出金搬送部１０８により硬貨払出部１１６へ搬送される。このようにして、操作者は、硬貨払出部１１６から硬貨を取り出すことができるようになる。
【００５５】
次に、紙幣釣銭機２００において紙幣の入金処理が行われる際の動作について説明する。紙幣釣銭機２００の紙幣受入口２１４ａに紙幣が投入されると、紙幣受入部２１４は、紙幣受入口２１４ａに投入された入金紙幣を一括で取り込んで、接続搬送部２０３ｂを介して周回搬送部２０３ａに紙幣を１枚ずつ繰り出す。そして、周回搬送部２０３ａに繰り出された紙幣は当該周回搬送部２０３ａにより搬送され、この際に紙幣識別部２０１により紙幣の識別が行われる。
【００５６】
紙幣識別部２０１により識別が行われた紙幣のうち正常な紙幣であると判別された紙幣は、その金種に対応する各紙幣収納部２０６に送られ、これらの紙幣収納部２０６に収納される。具体的には、ある紙幣収納部２０６には千円札が収納され、別の紙幣収納部２０６には二千円札および五千円札が混合状態で収納され、更に別の紙幣収納部２０６には一万円札が収納される。一方、紙幣識別部２０１による識別結果により正常な紙幣ではないと判別された紙幣は入金リジェクト紙幣として周回搬送部２０３ａおよび接続搬送部２０３ｂにより紙幣払出部２１６に搬送され、この紙幣払出部２１６に集積される。そして、紙幣受入口２１４ａに投入された入金紙幣が全て各紙幣収納部２０６または紙幣払出部２１６に送られた後、紙幣払出部２１６に集積された入金リジェクト紙幣が紙幣取出口２１６ａに送られる。このことにより、操作者は、入金リジェクト紙幣を紙幣取出口２１６ａから取り出して紙幣受入部２１４の紙幣受入口２１４ａに再投入することができるようになる。
【００５７】
次に、紙幣釣銭機２００において紙幣の出金処理が行われる際の動作について以下に説明する。出金される紙幣の合計金額あるいは金種別の枚数等を含む出金処理の開始指令がＰＯＳレジスタ３００の操作部３０４や硬貨釣銭機１００の操作表示部１１２により上位制御部１２０に入力されると、各紙幣収納部２０６に収納されている紙幣が１枚ずつ接続搬送部２０３ｂに繰り出され、この接続搬送部２０３ｂから周回搬送部２０３ａに紙幣が受け渡される。周回搬送部２０３ａに送られた紙幣は当該周回搬送部２０３ａで少なくとも１周回るよう搬送され、この際に紙幣識別部２０１により紙幣の金種、真偽、正損、新旧、搬送状態等の識別が行われる。紙幣識別部２０１により識別が行われた紙幣のうち正常な紙幣であると判別された紙幣は紙幣払出部２１６に搬送され、この紙幣払出部２１６に集積される。一方、紙幣識別部２０１による識別結果により正常な紙幣ではないと判別された紙幣（例えば、重送や斜行等の搬送異常の紙幣）は出金リジェクト紙幣として周回搬送部２０３ａおよび接続搬送部２０３ｂにより出金リジェクト部２０４に搬送され、この出金リジェクト部２０４に集積される。出金リジェクト部２０４に集積された出金リジェクト紙幣は、店舗１０の店長や管理者等の所定の権限を有する者が紙幣釣銭機２００の筐体２１０から本体部分を手前側に引き出すことにより出金リジェクト部２０４から取り出すことができるようになる。そして、出金されるべき紙幣が各紙幣収納部２０６から紙幣払出部２１６に送られた後、紙幣払出部２１６に集積された紙幣が一括して紙幣取出口２１６ａに送られる。このことにより、操作者は、出金紙幣を紙幣取出口２１６ａから取り出すことができるようになる。
【００５８】
また、本実施の形態による貨幣釣銭機では、貨幣の補充処理や両替処理を行うことができるようになっている。ここで、貨幣の補充処理とは、貨幣釣銭機の機体内に収納されている釣銭用の貨幣が不足している際や、店舗１０における業務開始直前に、（すなわち、例えば硬貨釣銭機１００の各硬貨収納部１０６や紙幣釣銭機２００の各紙幣収納部２０６がエンプティ状態（すなわち、空状態）やニアエンプティ状態（すなわち、ほぼ空状態）となっているときに、）釣銭用の貨幣を貨幣釣銭機の機体内に収納させることをいう。このような貨幣の補充処理において、硬貨釣銭機１００において硬貨受入部１１４に受け入れられた硬貨が入金搬送部１０３により各硬貨収納部１０６に金種毎に搬送されたり、紙幣釣銭機２００において紙幣受入部２１４に受け入れられた紙幣が周回搬送部２０３ａや接続搬送部２０３ｂにより各紙幣収納部２０６に金種毎に搬送されたりするようになる。すなわち、硬貨釣銭機１００や紙幣釣銭機２００において硬貨や紙幣の補充処理が行われる際に上述した硬貨や紙幣の入金処理における動作と同様の動作が行われるようになる。一方、貨幣の両替処理とは、硬貨釣銭機１００や紙幣釣銭機２００に入金された硬貨や紙幣と異なる金種かつ同一の合計金額の硬貨や紙幣を硬貨釣銭機１００や紙幣釣銭機２００から出金させる処理のことをいう。ここで、貨幣釣銭機において貨幣の両替処理が行われる際に、硬貨釣銭機１００に入金された硬貨と異なる金種かつ同一の合計金額の硬貨が硬貨釣銭機１００から出金される場合もあるし、硬貨釣銭機１００に入金された硬貨と異なる金種かつ同一の合計金額の紙幣が紙幣釣銭機２００から出金される場合もある。また、貨幣釣銭機において貨幣の両替処理が行われる際に、紙幣釣銭機２００に入金された紙幣と異なる金種かつ同一の合計金額の紙幣が紙幣釣銭機２００から出金される場合もあるし、紙幣釣銭機２００に入金された紙幣と異なる金種かつ同一の合計金額の硬貨が硬貨釣銭機１００から出金される場合もある。
【００５９】
また、本実施の形態による貨幣釣銭機では、待機状態における貨幣の処理モードとして補充モードおよび両替モードのうちいずれかのモードを設定手段１４０により設定することができるようになっている。また、硬貨釣銭機制御部１３０や紙幣釣銭機制御部２３０は、設定手段１４０により設定された処理モードの内容に基づいて硬貨釣銭機１００の入金搬送部１０３や出金搬送部１０８、および紙幣釣銭機２００の周回搬送部２０３ａや接続搬送部２０３ｂをそれぞれ制御するようになっている。より詳細には、待機状態における貨幣の処理モードとして補充モードが設定手段１４０により設定された場合には、硬貨釣銭機制御部１３０は、貨幣釣銭機が待機状態にあるときに硬貨受入部１１４に受け入れられた硬貨を入金搬送部１０３により各硬貨収納部１０６に搬送させるよう当該入金搬送部１０３を制御し、また、紙幣釣銭機制御部２３０は、貨幣釣銭機が待機状態にあるときに紙幣受入部２１４に受け入れられた紙幣を周回搬送部２０３ａや接続搬送部２０３ｂにより各紙幣収納部２０６に搬送させるようこれらの周回搬送部２０３ａや接続搬送部２０３ｂを制御するようになる。また、待機状態における貨幣の処理モードとして両替モードが設定手段１４０により設定された場合には、硬貨釣銭機制御部１３０や紙幣釣銭機制御部２３０は、貨幣釣銭機が待機状態にあるときに硬貨受入部１１４に受け入れられた硬貨を入金搬送部１０３により各硬貨収納部１０６に搬送させるとともに紙幣受入部２１４に受け入れられた紙幣を周回搬送部２０３ａや接続搬送部２０３ｂにより各紙幣収納部２０６に搬送させるよう入金搬送部１０３、周回搬送部２０３ａおよび接続搬送部２０３ｂを制御し、また、硬貨釣銭機１００や紙幣釣銭機２００に入金された硬貨や紙幣と異なる金種かつ同一の合計金額の硬貨や紙幣を各硬貨収納部１０６や各紙幣収納部２０６から硬貨払出部１１６や紙幣払出部２１６に搬送させるよう出金搬送部１０８、周回搬送部２０３ａおよび接続搬送部２０３ｂを制御する。
【００６０】
なお、設定手段１４０による上記の設定は、概ね、本実施の形態による貨幣釣銭機が店舗１０に設置される際に行われるようになっている。また、このような設定手段１４０による設定内容を操作者が硬貨釣銭機１００の操作表示部１１２やＰＯＳレジスタ３００の操作部３０４により変更することができるようになっていてもよい。また、硬貨釣銭機１００や紙幣釣銭機２００において硬貨収納部１０６や紙幣収納部２０６における硬貨や紙幣の収納状態が所定の状態（具体的には、エンプティ状態（すなわち、空状態）やニアエンプティ状態（すなわち、ほぼ空状態））となったときに、設定手段１４０が待機状態における貨幣の処理モードとして補充モードを自動で設定するようになっていてもよい。硬貨収納部１０６や紙幣収納部２０６における硬貨や紙幣の収納状態がエンプティ状態やニアエンプティ状態となっているときには、硬貨釣銭機１００や紙幣釣銭機２００において硬貨や紙幣の補充処理を行う必要が生じるため、待機状態における貨幣の処理モードとして設定手段１４０により補充モードを自動で設定することにより、操作者が硬貨釣銭機１００の操作表示部１１２やＰＯＳレジスタ３００の操作部３０４により貨幣の処理モードとして補充モードを設定する手間を省くことができるようになり、操作者にとっての利便性を向上させることができるようになるからである。
【００６１】
また、更に他の例として、硬貨釣銭機１００において、検知センサ１１４ｄ（蓋開閉検知部）により蓋１１４ｃが閉まっていると検知されたときに、設定手段１４０は待機状態における貨幣の処理モードとして両替モードを自動で設定し、一方、検知センサ１１４ｄにより蓋１１４ｃが開いていると検知されたときに、設定手段１４０は待機状態における貨幣の処理モードとして補充モードを自動で設定するようになっていてもよい。図４に示すような構成の硬貨受入部１１４を有する硬貨釣銭機１００では、レジユニット１８において顧客から商品の代金として店員に支払われた硬貨を硬貨釣銭機１００に入金する際には硬貨受入部１１４の受入ホッパ１１４ａに投入される硬貨の枚数が比較的少ないため蓋１１４ｃは閉じられるようになり、一方、釣銭としての硬貨を硬貨釣銭機１００に補充する際には硬貨受入部１１４の受入ホッパ１１４ａに大量の硬貨を投入する必要があるため蓋１１４ｃが開けられて受入ホッパ１１４ａの上部開口に硬貨が直接投入されるようになる。このため、検知センサ１１４ｄにより蓋１１４ｃが開いていると検知されたときに、設定手段１４０は待機状態における貨幣の処理モードとして補充モードを自動で設定することにより、操作者が硬貨釣銭機１００の操作表示部１１２やＰＯＳレジスタ３００の操作部３０４により貨幣の処理モードとして補充モードを設定する手間を省くことができるようになり、操作者にとっての利便性を向上させることができるようになる。また、検知センサ１１４ｄにより蓋１１４ｃが閉まっていると検知されたときに、設定手段１４０は待機状態における貨幣の処理モードとして両替モードを自動で設定することにより、レジユニット１８において顧客から商品の代金として店員に支払われた硬貨を硬貨釣銭機１００に入金した後、硬貨釣銭機１００や紙幣釣銭機２００において硬貨や紙幣の両替処理を行う必要が生じた際に、操作者が硬貨釣銭機１００の操作表示部１１２やＰＯＳレジスタ３００の操作部３０４により貨幣の処理モードとして両替モードを設定する手間を省くことができるようになり、操作者にとっての利便性を向上させることができるようになる。
【００６２】
また、本実施の形態による貨幣釣銭機では、設定手段１４０により設定された、待機状態における貨幣の処理モードの内容は硬貨釣銭機１００の操作表示部１１２やＰＯＳレジスタ３００の表示部３０２に表示されるようになっており、このことにより待機状態における貨幣の処理モードの内容が操作者に報知されるようになっている。なお、設定手段１４０により設定された、待機状態における貨幣の処理モードの内容を報知する報知部は、処理モードの内容を表示する硬貨釣銭機１００の操作表示部１１２やＰＯＳレジスタ３００の表示部３０２に限定されることはない。報知部の他の例として、操作者に対して音声により待機状態における貨幣の処理モードの内容を報知するスピーカー等の音声部が用いられてもよい。
【００６３】
次に、貨幣釣銭機の待機状態における貨幣の処理モードとして両替モードが設定手段１４０により設定された場合における当該貨幣釣銭機の動作について説明する。レジユニット１８において顧客から商品の代金として店員に支払われた硬貨や紙幣を硬貨釣銭機１００や紙幣釣銭機２００に入金し、釣銭としての硬貨や紙幣を硬貨釣銭機１００や紙幣釣銭機２００から出金した後に、顧客が追加の硬貨や紙幣を店員に手渡して両替を希望する場合がある。具体的には、硬貨釣銭機１００から釣銭として例えば９０円分の硬貨が出金された場合、顧客が店員に１０円硬貨を手渡すことにより１００円硬貨に両替することを希望する場合がある。また、硬貨釣銭機１００から釣銭として例えば９００円分の硬貨が出金された場合、顧客が店員に１００円硬貨を手渡すことにより千円紙幣に両替することを希望する場合がある。このような場合に、従来では、店員は硬貨釣銭機１００の操作表示部１１２やＰＯＳレジスタ３００の操作部３０４により貨幣釣銭機における貨幣の処理モードとして両替モードを設定しなければならず、店員にとって手間がかかるという問題があった。これに対し、本実施の形態による貨幣釣銭機において、貨幣釣銭機の待機状態における貨幣の処理モードとして両替モードが設定手段１４０により設定された場合には、釣銭としての硬貨や紙幣を硬貨釣銭機１００や紙幣釣銭機２００から出金した後に、顧客が追加の硬貨や紙幣を店員に手渡して両替を希望したときに、店員は硬貨釣銭機１００の操作表示部１１２やＰＯＳレジスタ３００の操作部３０４により貨幣釣銭機における貨幣の処理モードとして両替モードを設定することなく、すぐに貨幣の両替処理を行うことができるようになる。このように、本実施の形態による貨幣釣銭機では、店員等の操作者が貨幣釣銭機における処理モードの選択操作を行うことなく貨幣釣銭機に入金された硬貨や紙幣を両替処理で用いることができ、よって操作者にとっての利便性を向上させることができる。
【００６４】
また、本実施の形態では、待機状態における貨幣の処理モードとして両替モードが設定手段１４０により設定された場合において、所定の条件が満たされると待機状態における貨幣の処理モードとしての両替モードが自動で終了するようになっている。ここで、「所定の条件」としては、貨幣釣銭機から硬貨や紙幣が出金された後において次の硬貨や紙幣の入金処理開始の指令が上位制御部１２０に与えられたこと、貨幣釣銭機から硬貨や紙幣が出金された後において貨幣釣銭機とは別に設けられた外部装置（具体的には、ＰＯＳレジスタ３００）から貨幣釣銭機に次の取引の開始の指令に係る信号が送信されたこと、貨幣釣銭機から硬貨や紙幣が出金されてから予め設定された所定の時間が経過したこと、貨幣釣銭機から硬貨や紙幣が出金された後においてログオフの指令が上位制御部１２０に与えられたこと、貨幣釣銭機から硬貨や紙幣が出金された後において操作表示部１１２により所定の操作が行われたこと等、様々な例が挙げられる。また、「所定の条件」として、上述した様々な例のうち一部のみが設定されていてもよく、あるいは上述した様々な例の全てが設定されていてもよい。上述した所定の条件についての様々な例の詳細については後述する。
【００６５】
本実施の形態による貨幣釣銭機において待機状態における貨幣の処理モードとして両替モードが設定手段１４０により設定されている場合の動作について図６に示すフローチャートを用いて説明する。店舗１０の精算所１６において顧客が精算処理を行う際に、店員は、顧客から受け取った商品の代金としての硬貨や紙幣をレジユニット１８の硬貨釣銭機１００や紙幣釣銭機２００に入金するとともに、釣銭としての硬貨や紙幣を硬貨釣銭機１００や紙幣釣銭機２００から出金して顧客に返却する（ＳＴＥＰ１）。釣銭としての硬貨や紙幣が硬貨釣銭機１００や紙幣釣銭機２００から出金されるとこれらの硬貨釣銭機１００や紙幣釣銭機２００は待機状態となるが、待機状態における貨幣の処理モードとして両替モードが設定手段１４０により設定されている場合には、硬貨釣銭機１００や紙幣釣銭機２００において両替モードがオンとなる（ＳＴＥＰ２）。この際に、ＰＯＳレジスタ３００の表示部３０２や硬貨釣銭機１００の操作表示部１１２には、硬貨釣銭機１００や紙幣釣銭機２００の処理モードが両替モードとなった旨の情報が表示されるようになる。そして、釣銭としての硬貨や紙幣を硬貨釣銭機１００や紙幣釣銭機２００から出金した後に、顧客が追加の硬貨や紙幣を店員に手渡して両替を希望したときには、硬貨釣銭機１００や紙幣釣銭機２００から出金された釣銭としての硬貨や紙幣および顧客から店員に手渡された追加の硬貨や紙幣を硬貨釣銭機１００の硬貨受入部１１４や紙幣釣銭機２００の紙幣受入部２１４に投入することにより、硬貨釣銭機１００や紙幣釣銭機２００において硬貨や紙幣の両替処理を自動で行うことができるようになる。
【００６６】
また、硬貨釣銭機１００や紙幣釣銭機２００において両替モードがオンとなった後（ＳＴＥＰ２）、ＰＯＳレジスタ３００の操作部３０４または硬貨釣銭機１００の操作表示部１１２において両替モードを終了させるための「終了」ボタンが押下されると（ＳＴＥＰ３の「ＹＥＳ」）、硬貨釣銭機１００や紙幣釣銭機２００において両替モードがオフとなり（ＳＴＥＰ８）、これらの硬貨釣銭機１００や紙幣釣銭機２００は通常の待機状態となる（ＳＴＥＰ９）。この場合には、ＰＯＳレジスタ３００の表示部３０２や硬貨釣銭機１００の操作表示部１１２には、硬貨釣銭機１００や紙幣釣銭機２００が通常の待機状態となった旨の情報が表示されるようになる。本実施の形態では、店舗１０の精算所１６において顧客が精算処理を行う際に、釣銭としての硬貨や紙幣を硬貨釣銭機１００や紙幣釣銭機２００から出金する前に硬貨釣銭機１００や紙幣釣銭機２００に顧客から受け取った商品の代金としての硬貨や紙幣を入金するような先入金処理が行われる場合があるが、このような先入金処理を行う際に店員はＰＯＳレジスタ３００の操作部３０４または硬貨釣銭機１００の操作表示部１１２において両替モードを終了させるための「終了」ボタンを押下することにより、先入金処理において硬貨釣銭機１００の硬貨受入部１１４や紙幣釣銭機２００の紙幣受入部２１４に投入された硬貨や紙幣が誤って両替処理されてしまうことを防止することができるようになる。なお、上記の説明では、操作表示部１１２が硬貨釣銭機１００に設けられている場合についての態様について述べたが、このような例に限定されることはない。本実施の形態による貨幣釣銭機の他の例として、硬貨釣銭機ではなく紙幣釣銭機に操作表示部が設けられていてもよく、あるいは硬貨釣銭機および紙幣釣銭機の両方に操作表示部がそれぞれ設けられていてもよい。そして、紙幣釣銭機に操作表示部が設けられている場合や、硬貨釣銭機および紙幣釣銭機の両方に操作表示部がそれぞれ設けられている場合でも、貨幣釣銭機において両替モードがオンとなった後、操作表示部において両替モードを終了させるための「終了」ボタンが押下されると、貨幣釣銭機において両替モードがオフとなり、当該貨幣釣銭機は通常の待機状態となる。また、この場合には、操作表示部には、貨幣釣銭機が通常の待機状態となった旨の情報が表示されるようになる。
【００６７】
また、硬貨釣銭機１００や紙幣釣銭機２００において両替モードがオンとなった後（ＳＴＥＰ２）、予め設定された所定の時間（例えば、３０秒乃至６０秒の範囲内の時間）が経過すると（ＳＴＥＰ４の「ＹＥＳ」）、硬貨釣銭機１００や紙幣釣銭機２００において両替モードがオフとなり（ＳＴＥＰ８）、これらの硬貨釣銭機１００や紙幣釣銭機２００は通常の待機状態となる（ＳＴＥＰ９）。この場合にも、ＰＯＳレジスタ３００の表示部３０２や硬貨釣銭機１００の操作表示部１１２には、硬貨釣銭機１００や紙幣釣銭機２００が通常の待機状態となった旨の情報が表示されるようになる。釣銭としての硬貨や紙幣を硬貨釣銭機１００や紙幣釣銭機２００から出金した後に、顧客が追加の硬貨や紙幣を店員に手渡して両替を希望するタイミングは、釣銭としての硬貨や紙幣が出金された直後である場合がほとんどであるため、釣銭としての硬貨や紙幣が出金されてから予め設定された所定の時間内においてのみ硬貨釣銭機１００や紙幣釣銭機２００において両替モードをオンとしても顧客の希望に概ね応えることができるからである。
【００６８】
また、硬貨釣銭機１００や紙幣釣銭機２００において両替モードがオンとなった後（ＳＴＥＰ２）、ＰＯＳレジスタ３００の操作部３０４により当該ＰＯＳレジスタ３００のログオフが行われた場合には（ＳＴＥＰ５の「ＹＥＳ」）、硬貨釣銭機１００や紙幣釣銭機２００において両替モードがオフとなり（ＳＴＥＰ８）、これらの硬貨釣銭機１００や紙幣釣銭機２００は通常の待機状態となる（ＳＴＥＰ９）。この場合にも、ＰＯＳレジスタ３００の表示部３０２や硬貨釣銭機１００の操作表示部１１２には、硬貨釣銭機１００や紙幣釣銭機２００が通常の待機状態となった旨の情報が表示されるようになる。なお、別の例として、ＰＯＳレジスタ３００のログオフが行われたときに、硬貨釣銭機１００や紙幣釣銭機２００が通常の待機状態に戻るのではなく、これらの硬貨釣銭機１００や紙幣釣銭機２００の動作が休止するようになっていてもよい。
【００６９】
また、硬貨釣銭機１００や紙幣釣銭機２００において両替モードがオンとなった後（ＳＴＥＰ２）、ＰＯＳレジスタ３００のバーコードスキャナ３５０により次の取引の商品のバーコードが読み取られた場合には（ＳＴＥＰ６の「ＹＥＳ」）、硬貨釣銭機１００や紙幣釣銭機２００において両替モードがオフとなり（ＳＴＥＰ１０）、これらの硬貨釣銭機１００や紙幣釣銭機２００は入金待機状態となる（ＳＴＥＰ１１）。具体的には、ＰＯＳレジスタ３００のバーコードスキャナ３５０により次の取引の商品のバーコードが読み取られると、ＰＯＳレジスタ３００のＰＯＳ制御部３３０から次の取引の開始の指令に係る信号が硬貨釣銭機１００の上位制御部１２０に送信されるようになる。そして、硬貨釣銭機１００の上位制御部１２０は、次の取引の開始の指令に係る信号を受信すると、硬貨釣銭機１００や紙幣釣銭機２００における両替モードをオフし、これらの硬貨釣銭機１００や紙幣釣銭機２００は入金待機状態となる。この場合には、ＰＯＳレジスタ３００の表示部３０２や硬貨釣銭機１００の操作表示部１１２には、硬貨釣銭機１００や紙幣釣銭機２００が入金待機状態となった旨の情報が表示されるようになる。ＰＯＳレジスタ３００のバーコードスキャナ３５０により次の取引の商品のバーコードが読み取られると、硬貨釣銭機１００や紙幣釣銭機２００において次の取引に関する商品の代金としての硬貨や紙幣の入金処理が行われるようになるため、硬貨釣銭機１００や紙幣釣銭機２００において両替モードをオフとするとともに入金待機状態とすることにより、次の取引に関する商品の代金としての硬貨や紙幣の入金処理に備えることができるようになる。
【００７０】
また、硬貨釣銭機１００や紙幣釣銭機２００において両替モードがオンとなった後（ＳＴＥＰ２）、ＰＯＳレジスタ３００の操作部３０４によって次の入金処理開始の指令が入力されることによりＰＯＳレジスタ３００から硬貨釣銭機１００の上位制御部１２０に次の入金処理開始の指令が与えられると（ＳＴＥＰ７の「ＹＥＳ」）、硬貨釣銭機１００や紙幣釣銭機２００において両替モードがオフとなり（ＳＴＥＰ１０）、これらの硬貨釣銭機１００や紙幣釣銭機２００は入金待機状態となる（ＳＴＥＰ１１）。具体的には、ＰＯＳレジスタ３００において顧客が精算しようとする全ての商品の品目や金額に係る情報を店員が操作部３０４により入力した後、このＰＯＳレジスタ３００における「小計」ボタンを押下すると、ＰＯＳレジスタ３００のＰＯＳ制御部３３０から硬貨釣銭機１００の上位制御部１２０に次の入金処理開始の指令が与えられるようになる。そして、硬貨釣銭機１００の上位制御部１２０は、次の入金処理開始の指令に係る信号を受信すると、硬貨釣銭機１００や紙幣釣銭機２００における両替モードをオフし、これらの硬貨釣銭機１００や紙幣釣銭機２００は入金待機状態となる。この場合にも、ＰＯＳレジスタ３００の表示部３０２や硬貨釣銭機１００の操作表示部１１２には、硬貨釣銭機１００や紙幣釣銭機２００が入金待機状態となった旨の情報が表示されるようになる。ＰＯＳレジスタ３００から硬貨釣銭機１００の上位制御部１２０に次の入金処理開始の指令が与えられると、硬貨釣銭機１００や紙幣釣銭機２００において次の取引に関する商品の代金としての硬貨や紙幣の入金処理が行われるようになるため、硬貨釣銭機１００や紙幣釣銭機２００において両替モードをオフとするとともに入金待機状態とすることにより、次の取引に関する商品の代金としての硬貨や紙幣の入金処理に備えることができるようになる。
【００７１】
このように、本実施の形態では、待機状態における貨幣の処理モードとして両替モードが設定手段１４０により設定された場合において、所定の条件が満たされると待機状態における貨幣の処理モードとしての両替モードが自動で終了するため、店舗１０の運用に合った硬貨釣銭機１００や紙幣釣銭機２００の運用を行うことができるようになる。
【００７２】
次に、貨幣釣銭機の待機状態における貨幣の処理モードとして補充モードが設定手段１４０により設定された場合における当該貨幣釣銭機の動作について説明する。店舗１０の営業開始前等において店員が硬貨釣銭機１００や紙幣釣銭機２００に釣銭としての硬貨や紙幣の補充を行うにあたり、従来では、店員は硬貨釣銭機１００の操作表示部１１２やＰＯＳレジスタ３００の操作部３０４により貨幣釣銭機における貨幣の処理モードとして補充モードを設定した後に硬貨釣銭機１００の硬貨受入部１１４や紙幣釣銭機２００の紙幣受入部２１４に硬貨や紙幣を投入していたが、硬貨釣銭機１００や紙幣釣銭機２００に硬貨や紙幣を補充する度に店員は硬貨釣銭機１００の操作表示部１１２やＰＯＳレジスタ３００の操作部３０４により貨幣釣銭機における貨幣の処理モードとして補充モードを設定しなければならず、店員にとって手間がかかるという問題があった。これに対し、本実施の形態による貨幣釣銭機において、貨幣釣銭機の待機状態における貨幣の処理モードとして補充モードが設定手段１４０により設定された場合には、店員は硬貨釣銭機１００の操作表示部１１２やＰＯＳレジスタ３００の操作部３０４により貨幣釣銭機における貨幣の処理モードとして補充モードを設定することなく、すぐに貨幣の補充処理を行うことができるようになる。このように、本実施の形態による貨幣釣銭機では、店員等の操作者が貨幣釣銭機における処理モードの選択操作を行うことなく貨幣釣銭機に入金された硬貨や紙幣を補充処理で用いることができ、よって操作者にとっての利便性を向上させることができる。
【００７３】
なお、待機状態における貨幣の処理モードとして補充モードが設定手段１４０により設定された場合には、硬貨釣銭機１００および紙幣釣銭機２００の各々において硬貨および紙幣の補充処理が互いに独立して行われるようになる。
【００７４】
また、上述したように、硬貨釣銭機１００や紙幣釣銭機２００において硬貨収納部１０６や紙幣収納部２０６における硬貨や紙幣の収納状態が所定の状態（具体的には、エンプティ状態（すなわち、空状態）やニアエンプティ状態（すなわち、ほぼ空状態））となったときに、設定手段１４０が待機状態における貨幣の処理モードとして補充モードを自動で設定するようになっていてもよい。この場合には、店舗１０の営業時間内において硬貨釣銭機１００や紙幣釣銭機２００から多くの硬貨や紙幣が釣銭として出金されることにより硬貨収納部１０６や紙幣収納部２０６における硬貨や紙幣の収納状態がエンプティ状態やニアエンプティ状態となっても、店員は硬貨釣銭機１００の操作表示部１１２やＰＯＳレジスタ３００の操作部３０４により貨幣釣銭機における貨幣の処理モードとして補充モードを設定することなく、すぐに貨幣の補充処理を行うことができるようになるため、貨幣釣銭機の利便性をより一層向上させることができるようになる。
【００７５】
以上のような構成からなる本実施の形態の貨幣釣銭機（貨幣処理装置）によれば、待機状態における貨幣の処理モードとして補充モードおよび両替モードのうちいずれかのモードを設定する設定手段１４０が設けられており、硬貨釣銭機制御部１３０や紙幣釣銭機制御部２３０は、設定手段１４０により設定された処理モードの内容に基づいて入金搬送部１０３、出金搬送部１０８、周回搬送部２０３ａ、接続搬送部２０３ｂを制御するようになっている。この場合には、待機状態における貨幣の処理モードとして補充モードおよび両替モードのうちいずれかのモードを設定し、設定された処理モードの内容に基づいて搬送部により貨幣を搬送させることができるため、店員等の操作者が処理モードの選択操作を行うことなく入金された貨幣を補充処理または両替処理で用いることができ、よって操作者にとっての利便性を向上させることができる。
【００７６】
本実施の形態の貨幣釣銭機（貨幣処理装置）においては、上述したように、設定手段１４０は、硬貨収納部１０６や紙幣収納部２０６における硬貨や紙幣の収納状態が所定の状態となったときに、待機状態における貨幣の処理モードとして補充モードを自動で設定するようになっていてもよい。この場合には、店舗１０の営業時間内において硬貨釣銭機１００や紙幣釣銭機２００から多くの硬貨や紙幣が釣銭として出金されることにより硬貨収納部１０６や紙幣収納部２０６における硬貨や紙幣の収納状態がエンプティ状態やニアエンプティ状態となっても、店員等の操作者は硬貨釣銭機１００の操作表示部１１２やＰＯＳレジスタ３００の操作部３０４により貨幣釣銭機における貨幣の処理モードとして補充モードを設定することなく、すぐに貨幣の補充処理を行うことができるようになるため、貨幣釣銭機の利便性をより一層向上させることができるようになる。
【００７７】
また、本実施の形態の貨幣釣銭機（貨幣処理装置）における硬貨釣銭機１００においては、上述したように、硬貨受入部１１４には、当該硬貨受入部１１４への硬貨投入用の開口１１４ｆが形成された蓋１１４ｃ、および蓋１１４ｃの開閉を検知するための検知センサ１１４ｄ（蓋開閉検知部）がそれぞれ設けられており、設定手段１４０は、蓋開閉検知部としての検知センサ１１４ｄにより蓋１１４ｃが閉まっていると検知されたときに、待機状態における貨幣の処理モードとして両替モードを自動で設定し、一方、蓋開閉検知部としての検知センサ１１４ｄにより蓋１１４ｃが開いていると検知されたときに、待機状態における貨幣の処理モードとして補充モードを自動で設定するようになっていてもよい。
【００７８】
また、本実施の形態の貨幣釣銭機（貨幣処理装置）においては、上述したように、設定手段１４０により設定された、待機状態における貨幣の処理モードの内容を報知する報知部として例えば操作表示部１１２が設けられている。この場合には、待機状態における貨幣の処理モードの内容を店員等の操作者はすぐに認識することができるようになる。なお、上述したように、設定手段１４０により設定された、待機状態における貨幣の処理モードの内容を報知する報知部は、処理モードの内容を表示する操作表示部１１２等に限定されることはない。報知部の他の例として、操作者に対して音声により待機状態における貨幣の処理モードの内容を報知するスピーカー等の音声部が用いられてもよい。
【００７９】
また、本実施の形態の貨幣釣銭機（貨幣処理装置）においては、上述したように、待機状態における貨幣の処理モードとして両替モードが設定手段１４０により設定された場合において、所定の条件が満たされると待機状態における貨幣の処理モードとしての両替モードが自動で終了するようになっている。ここで、「所定の条件」としては、貨幣釣銭機から硬貨や紙幣が出金された後において次の硬貨や紙幣の入金処理開始の指令が上位制御部１２０に与えられたこと、貨幣釣銭機から硬貨や紙幣が出金された後において貨幣釣銭機とは別に設けられた外部装置（具体的には、ＰＯＳレジスタ３００）から貨幣釣銭機に次の取引の開始の指令に係る信号が送信されたこと、貨幣釣銭機から硬貨や紙幣が出金されてから予め設定された所定の時間が経過したこと、貨幣釣銭機から硬貨や紙幣が出金された後においてログオフの指令が上位制御部１２０に与えられたこと、貨幣釣銭機から硬貨や紙幣が出金された後において操作表示部１１２により所定の操作が行われたこと等、様々な例が挙げられる。なお、本実施の形態の貨幣釣銭機（貨幣処理装置）においては、「所定の条件」として、上述した様々な例のうち一部のみが設定されていてもよく、あるいは上述した様々な例の全てが設定されていてもよい。
【００８０】
また、本実施の形態の貨幣釣銭機（貨幣処理装置）においては、上述したように、硬貨釣銭機制御部１３０や紙幣釣銭機制御部２３０は、設定手段１４０により設定された処理モードが補充モードである場合には、入金部としての硬貨受入部１１４や紙幣受入部２１４により入金された貨幣を入金搬送部１０３、周回搬送部２０３ａ、接続搬送部２０３ｂにより硬貨収納部１０６や紙幣収納部２０６に搬送させ、一方、設定手段１４０により設定された処理モードが両替モードである場合には、入金部としての硬貨受入部１１４や紙幣受入部２１４により入金された貨幣を硬貨収納部１０６や紙幣収納部２０６に搬送させるとともに入金された貨幣と異なる金種かつ同一の合計金額の貨幣を硬貨収納部１０６や紙幣収納部２０６から出金部としての硬貨払出部１１６や紙幣払出部２１６に搬送させるよう入金搬送部１０３、出金搬送部１０８、周回搬送部２０３ａ、接続搬送部２０３ｂを制御するようになっている。
【００８１】
また、本実施の形態の貨幣釣銭機（貨幣処理装置）においては、上述したように、待機状態における貨幣の処理モードとして補充モードが設定手段１４０により設定された場合には硬貨釣銭機１００および紙幣釣銭機２００の各々において硬貨および紙幣の補充処理が互いに独立して行われ、待機状態における貨幣の処理モードとして両替モードが設定手段１４０により設定された場合には硬貨釣銭機１００および紙幣釣銭機２００のうち一方の釣銭機（処理ユニット）に入金された貨幣と異なる金種かつ同一の合計金額の貨幣を他方の釣銭機（処理ユニット）から出金させることができるようになっている。
【００８２】
なお、本実施の形態による貨幣釣銭機（貨幣処理装置）は、上述したような態様に限定されることはなく、様々な変更を加えることができる。
【００８３】
例えば、上記の説明では本実施の形態による貨幣釣銭機はＰＯＳレジスタ３００と通信可能に接続されており、この貨幣釣銭機はＰＯＳレジスタ３００と一体的に運用されるようになっているが、他の例として、硬貨釣銭機１００および紙幣釣銭機２００からなる貨幣釣銭機が単体で用いられるようになっていてもよい。
【００８４】
また、本実施の形態による硬貨釣銭機における硬貨受入部は図４に示すような構成のものに限定されることはない。変形例に係る貨幣釣銭機において硬貨受入部に蓋が設けられていなくてもよい。また、硬貨受入部に受け入れられた硬貨を筐体の内部に繰り出す繰出部として搬送ベルトの代わりに回転円盤が用いられるようになっていてもよい。
【符号の説明】
【００８５】
１０      店舗
１２      フロント領域
１４      商品棚
１６      精算所
１８      レジユニット
２０      バックヤード領域
２２      売上入金機
１００    硬貨釣銭機
１０１    硬貨識別部
１０３    入金搬送部
１０４    分岐部
１０６    硬貨収納部
１０８    出金搬送部
１１０    筐体
１１２    操作表示部
１１４    硬貨受入部
１１４ａ  受入ホッパ
１１４ｂ  搬送ベルト
１１４ｃ  蓋
１１４ｄ  検知センサ
１１４ｅ  被検知板
１１４ｆ  開口
１１６    硬貨払出部
１２０    上位制御部
１３０    硬貨釣銭機制御部
１３２    インターフェース
１３４    記憶部
１４０    設定手段
２００    紙幣釣銭機
２０１    紙幣識別部
２０３ａ  周回搬送部
２０３ｂ  接続搬送部
２０４    出金リジェクト部
２０６    紙幣収納部
２０７    紙幣回収カセット
２１０    筐体
２１４    紙幣受入部
２１４ａ  紙幣受入口
２１６    紙幣払出部
２１６ａ  紙幣取出口
２３０    紙幣釣銭機制御部
２３２    インターフェース
３００    ＰＯＳレジスタ
３０２    表示部
３０２ａ  追加の表示部
３０４    操作部
３３０    ＰＯＳ制御部
３３２    インターフェース
３３４    記憶部
３３６    カードリーダライタ
３３８    印字部
３５０    バーコードスキャナ
５００    店舗サーバ
【図１】
2017045185.tif 000003
【図２】
2017045185.tif 000004
【図３】
2017045185.tif 000005
【図４】
2017045185.tif 000006
【図５】
2017045185.tif 000007
【図６】
2017045185.tif 000008